(57)【特許請求の範囲】
【請求項１】
係止突起付き円筒状のプロファイル（１１）の脚部にフット部品を取り付けるための一対の取付片（２、２）および一対のピース片（３、３）からなるフットコネクタ（１）であって、
前記各取付片は二つ割り円筒状の取付本体（２１）を有し、この取付本体の上部に係止部（２２）を斜めに形成し、この係止部の下側にテーパ円筒部（２３）を下向きに拡径するように形成し、前記取付本体の下部にナット係合部（２６）を形成し、
前記各ピース片は前記取付片のテーパ円筒部の外周に沿って回動自在に支持された二つ割り円筒状のピース本体（３１）を有し、前記プロファイルの係止突起（１１ａ）に係止しうる係止突部（３２）を前記各ピース本体の外周面に形成したことを特徴とするフットコネクタ。
【請求項２】
取付片（２）に対してピース片（３）を所定位置に位置決めする位置決め突部（２５）を当該取付片のテーパ円筒部（２３）に形成したことを特徴とする請求項１に記載のフットコネクタ。
【請求項３】
各取付片（２）のナット係合部（２６）にスパナ嵌合面（２７）を形成したことを特徴とする請求項１または請求項２に記載のフットコネクタ。
【請求項４】
一対の取付片（２、２）を互いに同一形状とするとともに、一対のピース片（３、３）を互いに同一形状としたことを特徴とする請求項１から請求項３までのいずれかに記載のフットコネクタ。
【発明の詳細な説明】
【０００１】
【発明の属する技術分野】
本発明は、アルミニウムなどからなる係止突起付き円筒状のプロファイル（フレーム構築材）を何本か接合して各種のフレームを組み立てる際に用いるに好適なフットコネクタに関するものである。
【０００２】
【発明が解決しようとする課題】
従来、この種のプロファイルの脚部には高さアジャスタやキャスタなどのフット部品を取り付けることがあるため、その取付・取外しが容易なフットコネクタが望まれていた。
【０００３】
本発明は、このような事情に鑑み、プロファイルの脚部にフット部品を取り付けたり取り外したりすることが容易なフットコネクタを提供することを目的とする。
【０００４】
【課題を解決するための手段】
まず、本発明のうち請求項１に係る発明は、係止突起付き円筒状のプロファイル（１１）の脚部にフット部品を取り付けるための一対の取付片（２、２）および一対のピース片（３、３）からなるフットコネクタ（１）であって、前記各取付片は二つ割り円筒状の取付本体（２１）を有し、この取付本体の上部に係止部（２２）を斜めに形成し、この係止部の下側にテーパ円筒部（２３）を下向きに拡径するように形成し、前記取付本体の下部にナット係合部（２６）を形成し、前記各ピース片は前記取付片のテーパ円筒部の外周に沿って回動自在に支持された二つ割り円筒状のピース本体（３１）を有し、前記プロファイルの係止突起（１１ａ）に係止しうる係止突部（３２）を前記各ピース本体の外周面に形成して構成される。
【０００５】
こうした構成を採用することにより、一対の取付片を互いに組み合わせ、これに一対のピース片を添設した後、これらピース片とともに各取付片をプロファイルの脚部に挿入して一対の取付片を回せば、各ピース本体が各取付片の係止部に案内されて下降するため、各取付片が各ピース片を介してプロファイルを内側から強く押圧するように作用する。
【０００６】
また、本発明のうち請求項２に係る発明は、上記取付片（２）に対して上記ピース片（３）を所定位置に位置決めする位置決め突部（２５）を当該取付片のテーパ円筒部（２３）に形成して構成される。かかる構成により、ピース片の取付片への添設作業およびプロファイルへの挿入作業が円滑になるように作用する。
【０００７】
また、本発明のうち請求項３に係る発明は、上記各取付片（２）のナット係合部（２６）にスパナ嵌合面（２７）を形成して構成される。かかる構成により、取付片２、２の回転作業が円滑になるように作用する。
【０００８】
さらに、本発明のうち請求項４に係る発明は、上記一対の取付片（２、２）を互いに同一形状とするとともに、一対のピース片（３、３）を互いに同一形状として構成される。かかる構成により、取付片とピース片を１種類ずつ製造すれば済み、取付片およびピース片の製造コストを低減することが可能となる。
【０００９】
なお、括弧内の符号は図面において対応する要素を表す便宜的なものであり、したがって、本発明は図面上の記載に限定拘束されるものではない。このことは「特許請求の範囲」の欄についても同様である。
【００１０】
【発明の実施の形態】
以下、本発明の実施形態を図面に基づいて説明する。
図１は本発明に係るフットコネクタの一実施形態を示す図であって、（ａ）はその正面図、（ｂ）はその右側面図、
図２は図１に示すフットコネクタの取付片を示す図であって、（ａ）はその正面図、（ｂ）はその平面図、（ｃ）はその底面図、（ｄ）はその右側面図、（ｅ）はその背面図、（ｆ）は（ｅ）のＦ−Ｆ線による断面図、
図３は図１に示すフットコネクタのピース片を示す図であって、（ａ）はその正面図、（ｂ）はその背面図、（ｃ）はその平面図、（ｄ）はその底面図、
図４は図１に示すフットコネクタの使用手順を示す斜視図である。
【００１１】
このフットコネクタ１は、図１に示すように、同一形状を有する一対のアルミニウム製の取付片２、２および同一形状を有する一対のアルミニウム製のピース片３、３から構成されている。
【００１２】
各取付片２は、図２に示すように、二つ割り円筒状の取付本体２１を有しており、取付本体２１の上部には係止部２２が斜めに形成されている。係止部２２の下側にはテーパ円筒部２３が下向きに拡径するように形成されており、テーパ円筒部２３には２個の位置決め突部２５が形成されている。さらに、取付本体２１の下部にはナット係合部２６が形成されており、ナット係合部２６の外周面にはスパナ嵌合面２７が形成されている。
【００１３】
一方、各ピース片３は、図３に示すように、二つ割り円筒状のピース本体３１を有しており、ピース本体３１の外周面には２個の係止突部３２が形成されている。
【００１４】
フットコネクタ１は以上のような構成を有するので、図４に示すように、係止突起付き円筒状のプロファイル１１の脚部に高さアジャスタ１３を取り付ける際には次の手順による。
【００１５】
まず、図４（ａ）に示すように、一対の取付片２、２を互いに組み合わせる。このとき、これら取付片２、２のナット係合部２６、２６に六角ナット１４を内装する。さらに、これら取付片２、２のテーパ円筒部２３、２３に一対のピース片３、３を添設した後、これらピース片３、３とともに取付片２、２をプロファイル１１の脚部に挿入する。ここで、テーパ円筒部２３には位置決め突部２５が形成されているので、ピース片３、３の添設作業およびプロファイル１１への挿入作業を円滑に行うことができる。
【００１６】
次に、図４（ｂ）に示すように、取付片２、２のスパナ嵌合面２７にスパナ１５を引っ掛けて取付片２、２を矢印Ｍ方向に回転させる。すると、ピース片３、３は、その係止突部３２がプロファイル１１の係止突起１１ａに係止して回転を拘束されているため、取付片２、２の回転に伴い、その係止部２２、２２に案内されてテーパ円筒部２３、２３上を下降する。すると、ピース片３、３は外側、すなわちプロファイル１１側へ移動し、取付片２、２はピース片３、３を介してプロファイル１１を内側から強く押圧する。その結果、フットコネクタ１はプロファイル１１の脚部に強固に取り付けられた状態となる。
【００１７】
最後に、図４（ｃ）に示すように、高さアジャスタ１３の雄ねじ部１３ａを六角ナット１４に螺着する。すると、高さアジャスタ１３はフットコネクタ１を介してプロファイル１１の脚部に取り付けられ、ここでフットコネクタ１の取付作業が終了する。
【００１８】
このように、高さアジャスタ１３のプロファイル１１への取付作業は、フットコネクタ１の取付という準備作業を経るだけで完了するので、フットコネクタ１の容易な取付が実現する。
【００１９】
また、こうしてプロファイル１１に取り付けた高さアジャスタ１３を取り外す際には、スパナ１５で取付片２、２を矢印Ｎ方向に回転させる。すると、それまで取付片２、２がピース片３、３を介してプロファイル１１を内側から押圧していた力が弱まるので、高さアジャスタ１３はフットコネクタ１ごとプロファイル１１から外れる。このように、高さアジャスタ１３の取外し作業も容易なものとなる。
【００２０】
また、フットコネクタ１を構成する一対の取付片２、２と一対のピース片３、３はそれぞれ互いに同一形状となっているため、同一の金型を使って１種類の取付片２、ピース片３を製造すれば済み、その分だけ取付片２、ピース片３の製造コストを低減することができる。
【００２１】
なお、上述の実施形態においては、フット部品として高さアジャスタ１３を使用する場合について説明したが、同様な手順で高さアジャスタ１３以外のフット部品、例えば雄ねじ付きキャスタ（図示せず）をプロファイル１１の脚部に取り付けることもできる。
【００２２】
【発明の効果】
以上説明したように、本発明のうち請求項１〜３に係る発明によれば、一対の取付片を互いに組み合わせ、これに一対のピース片を添設した後、これらピース片とともに各取付片をプロファイルの脚部に挿入して一対の取付片を回せば、各ピース本体が各取付片の係止部に案内されて下降するため、各取付片が各ピース片を介してプロファイルを内側から強く押圧することから、プロファイルの脚部にフット部品を取り付けたり取り外したりすることが容易なフットコネクタを提供することができる。
【００２３】
また、本発明のうち請求項４に係る発明によれば、取付片とピース片を１種類ずつ製造すれば済み、取付片およびピース片の製造コストを低減することが可能となるため、経済性にも優れたフットコネクタを提供することができる。
【図面の簡単な説明】
【図１】本発明に係るフットコネクタの一実施形態を示す図であって、（ａ）はその正面図、（ｂ）はその右側面図である。
【図２】図１に示すフットコネクタの取付片を示す図であって、（ａ）はその正面図、（ｂ）はその平面図、（ｃ）はその底面図、（ｄ）はその右側面図、（ｅ）はその背面図、（ｆ）は（ｅ）のＦ−Ｆ線による断面図である。
【図３】図１に示すフットコネクタのピース片を示す図であって、（ａ）はその正面図、（ｂ）はその背面図、（ｃ）はその平面図、（ｄ）はその底面図である。
【図４】図１に示すフットコネクタの使用手順を示す斜視図である。
【符号の説明】
１……フットコネクタ
２……取付片
３……ピース片
１１……プロファイル
１１ａ……係止突起
２１……取付本体
２２……係止部
２３……テーパ円筒部
２５……位置決め突部
２６……ナット係合部
２７……スパナ嵌合面
３１……ピース本体
３２……係止突部
【図１】
0004062914.tif 000002
【図２】
0004062914.tif 000003
【図３】
0004062914.tif 000004
【図４】
0004062914.tif 000005